(57)【要約】【課題】単位画素で構成された表示装置において、共有する走査線による画質の低下を抑制することのできる高品位な表示装置及び反射型液晶表示装置を提供する。【解決手段】第１画素電極を有した第１画素ＰＸａと、第１画素に列方向に隣合い第２画素電極を有した第２画素ＰＸｂと、第１画素に行方向に隣合い第３画素電極を有した第３画素ＰＸｃと、第２画素に行方向に隣合い第３画素に列方向に隣合い第４画素電極を有した第４画素ＰＸｄと、を備えた単位画素ＵＰＸと、第１乃至第４画素に電気的に接続する走査線１５と、列方向に延在し行方向に互いに間隔を置いて設けられて、それぞれ第１乃至第４画素に電気的に接続する第１乃至第４信号線１６と、を備え、第１乃至第４画素電極は、光反射型であり、走査線は、第１乃至第４画素のそれぞれの画素領域を、全幅が当該画素領域内に含まれるように順次経由して設けられる表示装置である。【選択図】図６
2015141326.tif 000002
【特許請求の範囲】
【請求項１】
第１画素電極を有した第１画素と、前記第１画素に列方向に隣合い第２画素電極を有した第２画素と、前記第１画素に行方向に隣合い第３画素電極を有した第３画素と、前記第２画素に前記行方向に隣合い前記第３画素に前記列方向に隣合い第４画素電極を有した第４画素と、を備えた単位画素と、
前記第１乃至第４画素に電気的に接続する走査線と、
前記列方向に延在し前記行方向に互いに間隔を置いて設けられて、それぞれ前記第１乃至第４画素に電気的に接続する第１乃至第４信号線と、を備え、
前記第１乃至第４画素電極は、光反射型であり、
前記走査線は、前記第１乃至第４画素のそれぞれの画素領域を、全幅が当該画素領域内に含まれるように順次経由して設けられる表示装置。
【請求項２】
前記走査線は、前記単位画素内において、行方向及び列方向に沿う方向に設けられた配線で構成される矩形波形状を有する請求項１に記載の表示装置。
【請求項３】
前記走査線は、前記単位画素内において、行方向及び列方向に沿う方向に設けられた配線で構成される鋸歯形状を有する請求項１に記載の表示装置。
【請求項４】
前記走査線は、前記単位画素内において、行方向及び列方向に沿う方向に設けられた配線で構成される鋸歯形状の頂上部と谷底部とを行方向に沿う配線で置換した形状を有する請求項１に記載の表示装置。
【請求項５】
前記第１乃至第４画素は、互いに異なる色の画像を表示するように構成された画素である請求項１に記載の表示装置。
【請求項６】
前記第１乃至第４画素は、赤色の画像を表示するように構成された画素、緑色の画像を表示するように構成された画素、青色の画像を表示するように構成された画素、及び白色の画像を表示するように構成された画素である請求項５に記載の表示装置。
【請求項７】
前記単位画素は、正方画素である請求項１に記載の表示装置。
【請求項８】
液晶表示装置である請求項１乃至７の何れか１項に記載の表示装置。
【請求項９】
請求項１乃至７の何れか１項に記載の表示装置の単位画素をマトリクス状に配置した画素領域と、
前記画素領域を有するアレイ基板と、
前記アレイ基板と対向して配される対向基板と、を備える反射型液晶表示装置。
【請求項１０】
前記単位画素が前記画素領域の一部に設けられる請求項９に記載の反射型液晶表示装置。
【発明の詳細な説明】
【技術分野】
【０００１】
本発明の実施形態は、表示装置及び反射型液晶表示装置に関する。
【背景技術】
【０００２】
一般に、液晶表示装置が知られている。また、近年、モバイル機器が急速に普及している。モバイル機器としては液晶表示装置を用いたスマートフォン等が知られている。モバイル機器としての液晶表示装置においては、高精細化、高色純度化、高輝度化等に代表される表示性能の向上が強く求められている。また、モバイル機器としての液晶表示装置においては、バッテリによる長時間駆動を達成するための低消費電力化も強く求められている。
【０００３】
上記のような高色純度化、高輝度化、低消費電力化等の相反する要求を満足させるために、通常のＲＧＢ（赤、緑、青）の３色の画素構成に替えて、ＲＧＢＷ（赤、緑、青、白）の４色の画素構成を採用する液晶表示装置の開発、製品化が進められている。
【０００４】
しかしながら、画素としていわゆるＲＧＢＷストライプ画素（列方向に延在したＲＧＢＷの４個の画素が行方向に並んで形成された画素）の構成を採用する場合、画素単位での形状が細長い形となり、表示の均一性が大幅に低下するといった問題がある。そこで、表示品位が低下する問題を解消するために、画素としていわゆるＲＧＢＷ正方画素（ＲＧＢＷの４個の正方形の画素が正方配列化された画素）の構成を採用する技術が開発されている。
【０００５】
ところで、ＲＧＢＷ正方画素の場合、ＲＧＢＷストライプ画素に比べて各列に並ぶ画素の数が２倍になる。すると、走査線の本数も２倍になる。しかし、信号線から画素への映像信号の書込み時間は、走査線の本数に依存し、走査線の本数が増えればその分短くせざるを得ない。水平方向の解像度の向上は信号線側の書込み本数を増やすのみで書込み時間への影響はないが、高解像度化やフレーム周波数の増加は、映像信号の書込み時間の短縮を余儀なくされる。これにより、映像信号を書き込む時間を十分に確保できなくなったり、駆動周波数の増加に伴い駆動回路の消費電力が大幅に増加したりしてしまう。
【０００６】
そこで、行方向に並んだ１行のＲＧＢＷ正方画素に対して走査線を１本の割合で設け、列方向に並んだ１列のＲＧＢＷ正方画素に対して信号線を２本の割合で設ける技術が開発されている。即ち、ＲＧＢＷ正方画素を構成する４つの副画素は、１本の走査線を共用している。これにより、ＲＧＢＷ正方画素の構成を採用し、駆動周波数を増加させても、映像信号を書き込む時間を十分に確保することができる。また、駆動回路の消費電力の増大を抑制することができる（低消費電力化を図ることができる）。
【先行技術文献】
【特許文献】
【０００７】
【特許文献１】国際公開第２０１１／０８９８３８号パンフレット
【特許文献２】特開２０１０−２６２４５号公報
【発明の概要】
【発明が解決しようとする課題】
【０００８】
ところで、反射型液晶表示装置を複数の画素を含む単位画素（例えば、ＲＧＢＷ正方画素）で構成した場合、共有する走査線をどのように配置するかが重要である。
【０００９】
従来の反射型液晶表示装置では、正方画素の上側もしくは下側のいずれかの側の２つの副画素の反射電極の下層に重畳して走査線を形成していた。しかしこの構造では、走査線と反射電極とで生ずるカップリング容量が、上側の副画素と下側の副画素とで異なるため画質の低下を生じる。これを回避する方策として、上側の副画素と下側の副画素との境界部の隙間に走査線を形成することが考えられる。しかしこの構造では、反射電極間の隙間から表示に寄与しない配線が大きく露出し画質の低下を生じる。
【００１０】
本発明は、斯かる事情に鑑みてなされたものであり、単位画素で構成された表示装置において、共有する走査線による画質の低下を抑制することのできる高品位な表示装置及び反射型液晶表示装置を提供することを目的とする。
【課題を解決するための手段】
【００１１】
一実施形態に係る液晶表示装置は、第１画素電極を有した第１画素と、前記第１画素に列方向に隣合い第２画素電極を有した第２画素と、前記第１画素に行方向に隣合い第３画素電極を有した第３画素と、前記第２画素に前記行方向に隣合い前記第３画素に前記列方向に隣合い第４画素電極を有した第４画素と、を備えた単位画素と、前記第１乃至第４画素に電気的に接続する走査線と、前記列方向に延在し前記行方向に互いに間隔を置いて設けられて、それぞれ前記第１乃至第４画素に電気的に接続する第１乃至第４信号線と、を備え、前記第１乃至第４画素電極は、光反射型であり、前記走査線は、前記第１乃至第４画素のそれぞれの画素領域を、全幅が当該画素領域内に含まれるように順次経由して設けられる表示装置である。
【図面の簡単な説明】
【００１２】
【図１】第１の実施の形態の反射型液晶表示装置を示す概略の平面構成図である。
【図２】第１の実施の形態の反射型液晶表示装置の概略の断面構成図である。
【図３】第１の実施の形態の反射型液晶表示装置のアレイ基板の概略構成を示す平面図である。
【図４】第１の実施の形態の反射型液晶表示装置のアレイ基板の１つの単位画素ＵＰＸを取り出して示す図である。
【図５】第１の実施の形態の反射型液晶表示装置の画素回路の等価回路を示す図である。
【図６】第１の実施の形態の反射型液晶表示装置のアレイ基板上の正方画素のレイアウトパターンを示す図である。
【図７】従来の反射型液晶表示装置のアレイ基板上の正方画素のレイアウトパターンを示す図である。
【図８】第１の実施の形態の反射型液晶表示装置の隣接する画素領域間の配線を抽出して示すレイアウト図である。
【図９】従来の反射型液晶表示装置の隣接する画素領域間の配線を抽出して示すレイアウト図である。
【図１０】第１の実施の形態の反射型液晶表示装置の動作原理を説明するための図である。
【図１１】第２の実施の形態の反射型液晶表示装置のアレイ基板上の正方画素のレイアウトパターンを示す図である。
【図１２】第２の実施の形態の変形例の反射型液晶表示装置のアレイ基板上の正方画素のレイアウトパターンを示す図である。
【発明を実施するための形態】
【００１３】
以下に、本発明の各実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１４】
[第１の実施形態]  
【００１５】
図１は、第１の実施の形態の反射型液晶表示装置を示す概略の平面構成図である。  
液晶表示装置は、液晶表示パネル１０、信号線駆動回路９０、制御部１００と、ＦＰＣ（flexible printed circuit）１１０とを備えている。
【００１６】
液晶表示パネル１０は、アレイ基板１と、アレイ基板１に所定の隙間を置いて対向配置された対向基板２と、これら両基板間に挟持された液晶層３とを備えている。信号線駆動回路９０は、映像信号出力部として機能する。制御部１００は、液晶表示装置の動作を統括して制御する。ＦＰＣ１１０は、液晶表示パネル１０を駆動するための信号を授受するための通信路である。また、液晶表示パネル１０の表示領域ＡＡには、後述する画素ＰＸがマトリクス状に配置されている。
【００１７】
図２は、第１の実施の形態の反射型液晶表示装置の概略の断面構成図である。  
上述のように、液晶表示パネル１０は、アレイ基板１、対向基板２、及び両基板間に狭持された液晶層３を備えている。
【００１８】
アレイ基板１は、透明な絶縁性の基板として、例えばガラス基板４ａを備えている。このガラス基板４ａの液晶層３と対向する面には、画素電極（反射電極）、画素回路を構成する後述する走査線、信号線、スイッチング素子などが積層されている。アレイ基板１の外面部（液晶層３と反対の面）には第１光学部７が設けられている。第１光学部７は、例えば偏光板である。
【００１９】
対向基板２は、透明な絶縁基板として、例えばガラス基板４ｂを備えている。図示しないが、ガラス基板４ｂ上には、カラーフィルタ、対向電極（共通電極）及び配向膜が順に形成され、対向基板２を形成している。対向基板２の外面部（液晶層３と反対の面）には第２光学部８が設けられている。第２光学部８は、例えば偏光板である。第２光学部８の外面は表示面である。
【００２０】
アレイ基板１及び対向基板２間の隙間はスペーサにより、例えば柱状スペーサ５により保持されている。アレイ基板１及び対向基板２は、これら両基板の周縁部に配置されたシール材６により接合されている。
【００２１】
図３は、第１の実施の形態の反射型液晶表示装置のアレイ基板の概略構成を示す平面図である。  
表示領域ＡＡにおいて、ガラス基板４ａ上にはマトリクス状に配置された複数の単位画素ＵＰＸが形成されている。単位画素ＵＰＸは、行方向Ｘにｍ個並べられ、行方向Ｘに直交した列方向Ｙにｎ個並べられている。ここで、単位画素ＵＰＸは、ＲＧＢＷ正方画素を表す。
【００２２】
各単位画素ＵＰＸは、複数の画素ＰＸを備えている。ここでは、各単位画素ＵＰＸは、第１乃至第４画素ＰＸａ乃至ＰＸｄを備えている。第２画素ＰＸｂは、第１画素ＰＸａに列方向Ｙに隣合って位置している。第３画素ＰＸｃは、第１画素ＰＸａに行方向Ｘに隣合って位置している。第４画素ＰＸｄは、第２画素ＰＸｂに行方向Ｘに隣合い第３画素ＰＸｃに列方向Ｙに隣合って位置している。
【００２３】
ここで、単位画素ＵＰＸの単位ではなく画素ＰＸの単位に着目すると、複数の画素ＰＸは、行方向Ｘに２ｍ個並べられ、列方向Ｙに２ｎ個並べられている。奇数行において、第２画素ＰＸｂ及び第４画素ＰＸｄが交互に順に並べられている。偶数行において、第１画素ＰＸａ及び第３画素ＰＸｃが交互に順に並べられている。奇数列において、第２画素ＰＸｂ及び第１画素ＰＸａが交互に順に並べられている。偶数列において、第４画素ＰＸｄ及び第３画素ＰＸｃが交互に順に並べられている。
【００２４】
なお、上記単位画素ＵＰＸを絵素と言い換えることができる。また、単位画素ＵＰＸを画素と言い換えることができ、この場合、上記画素ＰＸを副画素と言い換えることができる。
表示領域ＡＡの外側において、ガラス基板４ａ上に、走査線駆動回路１１及びアウタリードボンディング（outer lead bonding）のパッド群（以下、ＯＬＢパッド群と称する）ｐＧが形成されている。
【００２５】
表示領域ＡＡにおいて、ガラス基板４ａ上には、複数本（ｎ本）の走査線１５、複数本（２ｎ本）の補助容量線Ｃ（Ｃ１、Ｃ２）、及び複数本（４ｍ本）の信号線１６が配置されている。信号線１６は、列方向Ｙに延出し行方向Ｘに互いに間隔を置いて設けられている。走査線１５は、行方向Ｘに延出し、第１乃至第４画素ＰＸａ乃至ＰＸｄに電気的に接続されている。行方向Ｘに並べられた複数の単位画素ＵＰＸの第１乃至第４画素ＰＸａ乃至ＰＸｄは、同一の走査線１５に電気的に接続されている。なお、走査線１５と複数の単位画素ＵＰＸの第１乃至第４画素ＰＸａ乃至ＰＸｄとの接続方法については後述する。
【００２６】
補助容量線Ｃは、行方向Ｘに延出し、第１乃至第４画素ＰＸａ乃至ＰＸｄに電気的に接続されている。行方向Ｘに並べられた複数の単位画素ＵＰＸの第２画素ＰＸｂ及び第４画素ＰＸｄは、同一の補助容量線Ｃ１に電気的に接続されている。行方向Ｘに並べられた複数の単位画素ＵＰＸの第１画素ＰＸａ及び第３画素ＰＸｃは、同一の補助容量線Ｃ２に電気的に接続されている。なお、補助容量線Ｃ１と補助容量線Ｃ２とは別の線でなくとも良く、同一の補助容量線Ｃから分岐したものであっても良い。また、補助容量線Ｃと複数の単位画素ＵＰＸの第１乃至第４画素ＰＸａ乃至ＰＸｄとの接続態様については後述する。
【００２７】
図４は、第１の実施の形態の反射型液晶表示装置のアレイ基板の１つの単位画素ＵＰＸを取り出して示す図である。  
第１乃至第４画素ＰＸａ乃至ＰＸｄは、互いに異なる色の画像を表示するように構成された画素である。この実施形態において、第１乃至第４画素ＰＸａ乃至ＰＸｄは、緑色（Ｇ）、青色（Ｂ）、白色（無彩色、Ｗ）及び赤色（Ｒ）の画像を表示するように構成された画素である。
【００２８】
複数の信号線１６のうち、第１信号線１６ａ乃至第４信号線１６ｄの４本の信号線は、それぞれ列方向Ｙに延線されて、第１乃至第４画素ＰＸａ乃至ＰＸｄと接続している。補助容量線Ｃのうち、補助容量線Ｃ１と補助容量線Ｃ２は、それぞれ行方向Ｘに並べられた複数の単位画素ＵＰＸの上部行の画素（第２画素ＰＸｂ及び第４画素ＰＸｄ）及び下部行の画素（第１画素ＰＸｂ及び第３画素ＰＸｄ）に対応している。走査線１５は、行方向Ｘに延線され単位画素ＵＰＸ内においては経路を変更しつつ第１乃至第４画素ＰＸａ乃至ＰＸｄと接続している。
【００２９】
図５は、第１の実施の形態の反射型液晶表示装置の画素回路の等価回路を示す図である。この画素回路は、単位画素ＵＰＸのそれぞれの画素（ＰＸａ乃至ＰＸｄ）で共通であるため、第１画素ＰＸａを例として説明する。
【００３０】
走査線１５および信号線１６ａの交差位置近傍には、２つのスイッチング素子２２ａ、２３ａが配置される。各スイッチング素子２２ａ、２３ａは例えばゲートが走査線１５に接続され、ソース−ドレインパスが信号線１６ａおよび画素電極２１ａ間に接続されるＴＦＴ（薄膜トランジスタ）からなり、走査線１５を介して駆動されたときに信号線１６ａおよび画素電極２１ａ間で導通する。スイッチング素子２２ａ、２３ａは、例えばポリシリコン薄膜トランジスタで構成される。
【００３１】
画素電極２１ａは光を反射する不透明電極材質（例えばメタル）からなり、対向電極ＣＥは、例えばＩＴＯ（インジュウム・錫酸化物）等の透明電極材料からなり、それぞれ配向膜で覆われている。液晶３は、画素電極２１ａおよび対向電極ＣＥからの電界によって、対応した液晶分子配列に制御される。画素電極２１ａおよび対向電極ＣＥ間には液晶容量ＣＬＣを有する。補助容量線Ｃは画素電極２１ａに容量結合した補助容量Ｃｓを構成する。補助容量Ｃｓはスイッチング素子２２ａ、２３ａの寄生容量に対して十分大きな容量値を有する。
【００３２】
なお、図５に示したＴＦＴはダブルゲートであるが、この形状に限定されず、シングルゲート、トリプルゲートであっても良い。
【００３３】
図６は、第１の実施の形態の反射型液晶表示装置のアレイ基板上の正方画素のレイアウトパターンを示す図である。  
図６の点線で囲われた４つの部分がそれぞれ１画素領域を示している。即ち、１画素領域（画素領域）は、画素電極２１ａ（２１ｂ、２１ｃ、２１ｄ）に対応する領域で示される。  
なお、以下のレイアウトパターンでは、第１信号線１６ａは第１画素ＰＸａと接続し、第２信号線１６ｂは第２画素ＰＸｂと接続し、第３信号線１６ｃは第３画素ＰＸｃと接続し、第４信号線１６ｄは第４画素ＰＸｄと接続するように構成している。従って、第１信号線１６ａ乃至第４信号線１６ｄの４本の信号線の配列順序は適宜変更されていることに留意されたい。
【００３４】
図６の左から供給される走査線１５は、第２画素ＰＸｂ内に延線される。走査線１５は、第２画素ＰＸｂ内において、ＴＦＴのゲートと２ヶ所で接続した後、第１画素ＰＸａ内に延線される。走査線１５は、第１画素ＰＸａ内において、ＴＦＴのゲートと２ヶ所で接続した後、第３画素ＰＸｃ内に延線される。走査線１５は、第３画素ＰＸｃ内において、ＴＦＴのゲートと２ヶ所で接続した後、第４画素ＰＸｄに延線される。走査線１５は、第４画素ＰＸｄ内において、ＴＦＴのゲートと２ヶ所で接続した後、隣接する右側の正方画素（不図示）に延線される。
【００３５】
第１の実施の形態の反射型液晶表示装置のアレイ基板上のレイアウトパターンでは、走査線１５は、正方画素内の全ての画素領域内を、全幅が画素領域内に含まれるように順次経由して配線されている。この態様を更に限定すると、走査線１５は、正方画素内においては行方向Ｘと列方向Ｙとに沿う方向に設けられる配線で構成される矩形波形状を備えている。
【００３６】
なお、補助容量線Ｃと走査線１５とは同層に配置されるため、走査線１５が画素領域内に配線されることに伴って補助容量線Ｃと走査線１５とが接触しないように、画素領域内における補助容量線Ｃの形状が変形される。そして、この補助容量線Ｃの形状変更に合わせてＴＦＴの形状も変更される。また、走査線１５の全幅が画素領域内に含まれるように配線されることに伴う色表示特性の劣化を回避するため、第１乃至第４画素ＰＸａ乃至ＰＸｄのそれぞれの補助容量Ｃｓがほぼ等しくなるように、それぞれの画素領域内における補助容量線Ｃの形状を定めることが望ましい。  
なお、正方画素内における走査線１５の形状は、第１画素ＰＸａと第２画素ＰＸｂとの境界線に対して線対称な形状であっても良い。
【００３７】
続いて、第１の実施の形態の反射型液晶表示装置の奏する効果について説明する。
【００３８】
図７は、従来の反射型液晶表示装置のアレイ基板上の正方画素のレイアウトパターンを示す図である。  
従来の反射型液晶表示装置のアレイ基板上の正方画素のレイアウトパターンでは、走査線１５は、正方画素内の列方向に隣接する２つの画素領域間の間隙に（あるいは間隙を覆って）行方向に延線されている。図７に示すレイアウトでは補助容量線Ｃの形状を変形しなくとも、補助容量線Ｃと走査線１５とが接触しないように構成することができるため、補助容量線Ｃの形状は長方形となっている。
【００３９】
なお、上述の内容以外のレイアウトについては、図６に示す第１の実施の形態の構成と同様であると理解することができるため、その詳細の説明は省略する。
【００４０】
図８は、第１の実施の形態の反射型液晶表示装置の隣接する画素領域間の配線を抽出して示すレイアウト図である。
図９は、従来の反射型液晶表示装置の隣接する画素領域間の配線を抽出して示すレイアウト図である。
図８と図９に示すように、隣接する画素領域同士の間隙には各配線（１６ａ〜１６ｄ、Ｃ１〜Ｃ２、１５）が露出している。図８と図９とを対比すると、第１の実施の形態の反射型液晶表示装置の方が従来の反射型液晶表示装置よりも露出する配線の面積が小さくいことがわかる。さらに、第１の実施の形態の反射型液晶表示装置の方が従来の反射型液晶表示装置よりも露出する配線が正方画素内に均一に分散していることがわかる。
【００４１】
図１０は、第１の実施の形態の反射型液晶表示装置の動作原理を説明するための図である。図１０には、正方画素を行方向に沿って切断したときの、アレイ基板１の積層構造と対向基板２との断面図を表している。
【００４２】
アレイ基板１を構成するガラス基板４ａ上には下地部１４が形成されている。下地部１４は、順に積層された不図示のアンダーコート膜、ＴＦＴ（半導体層、ゲート絶縁膜、ゲート電極等）、走査線１５、層間絶縁膜等で形成されている。下地部１４上には、信号線１６ａ〜１６ｄ等が形成されている。下地部１４及び信号線１６上には、平坦化膜１９が形成されている。第１乃至第４画素電極２１ａ乃至２１ｄは、平坦化膜１９上に形成されている。平坦化膜１９及び画素電極２１上に、配向膜２３が形成されアレイ基板１を形成している。
【００４３】
画素電極２１と対向電極ＣＥとの間に付加された電圧値に対応して液晶層３の透過率が変化する。反射型液晶表示装置では、画素電極２１は光を反射するメタルなどで構成されている。図１０に示すように、対向基板２側から光路Ａで入射した光は、画素電極２１で反射される。このとき液晶層３の透過率によって反射光の階調が制御される。一方、対向基板２側から光路Ｂで入射した光は、隣接する画素電極間の間隙を透過するため、反射光は生じない。
【００４４】
図８と図９に示すように、隣接する画素領域間には各配線（１６ａ〜１６ｄ、Ｃ１〜Ｃ２、１５）が露出している。反射型液晶表示装置では、これらの配線にはメタルが使用されているため、各配線に照射した光は画素電極２１と同様に反射される。しかしながら、各配線は画素電極２１と異なり所望の電圧を保持していないため、望ましい階調の光が反射されるわけではない。従って、隣接する画素領域間に露出する配線は少ないほうが望ましい。
【００４５】
上述のように、第１の実施の形態の反射型液晶表示装置の方が従来の反射型液晶表示装置よりも露出する配線の面積が小さく、さらに露出する配線が正方画素内に均一に分散している。従って、第１の実施の形態の反射型液晶表示装置は、高品位の表示性能を備えている。
【００４６】
[第２の実施形態]  
【００４７】
第２の実施の形態では、走査線１５のレイアウトパターンが第１の実施の形態と異なっている。第１の実施の形態と同一または同様の部位には同一の符号を付してその詳細の説明は省略する。
【００４８】
図１１は、第２の実施の形態の反射型液晶表示装置のアレイ基板上の正方画素のレイアウトパターンを示す図である。  
第２の実施の形態の反射型液晶表示装置のアレイ基板上のレイアウトパターンでは、走査線１５は、第１の実施の形態と同様に、正方画素内の全ての画素領域内を、全幅が画素領域内に含まれるように順次経由して配線されているが、この態様をさらに限定すると走査線１５が正方画素内において山切り形状となっている。即ち、走査線１５は、正方画素内において行方向Ｘと列方向Ｙとに交差する方向に設けられる配線で構成される鋸歯形状を備えている。  
なお、正方画素内における走査線１５の形状は、第１画素ＰＸａと第２画素ＰＸｂとの境界線に対して線対称な形状であっても良い。
【００４９】
第２の実施の形態によれば、第１の実施の形態よりも補助容量Ｃｓを大きくすることができる。
【００５０】
図１２は、第２の実施の形態の変形例の反射型液晶表示装置のアレイ基板上の正方画素のレイアウトパターンを示す図である。  
第２の実施の形態の変形例の反射型液晶表示装置のアレイ基板上のレイアウトパターンでは、走査線１５は、第２の実施の形態の山形の形状の頂上部と谷底部とを平坦化した形状である。即ち、走査線１５は、正方画素内において行方向Ｘと列方向Ｙとに交差する方向に設けられる配線で構成される鋸歯形状の頂上部と谷底部とを行方向Ｘに沿う配線で置換した形状としている。  
なお、正方画素内における走査線１５の形状は、第１画素ＰＸａと第２画素ＰＸｂとの境界線に対して線対称な形状であっても良い。
【００５１】
変形例によれば、第２の実施の形態よりも補助容量Ｃｓを大きくすることができる。
【００５２】
ここで、正方画素に使用する色の種類、及び正方画素内の色の配列については上述の各実施の形態で示した例に限定されない。  
なお、第１の実施の形態、及び第２の実施の形態で述べた走査線１５を備えた構成の正方画素は、表示領域ＡＡに設けられた全ての正方画素に用いても良く、一部の正方画素に用いても良い。
【００５３】
なお、上述の実施の形態では、適宜正方画素、単位画素の用語を使用しているが、本願発明が正方画素に限定されないことは明らかである。
【００５４】
本発明の実施の形態として上述した表示装置を基にして、当業者が適宜設計変更して実施し得る全ての表示装置も、本発明の要旨を包含する限り、本発明の範囲に属する。
【００５５】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００５６】
また、本実施形態において述べた態様によりもたらされる他の作用効果について本明細書記載から明らかなもの、又は当業者において適宜想到し得るものについては、当然に本発明によりもたらされるものと解される。
【００５７】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５８】
１…アレイ基板、２…対向基板、３…液晶層、１０…液晶表示パネル、１５…走査線、１６，１６ａ，１６ｂ，１６ｃ，１６ｄ…信号線、２１，２１ａ，２１ｂ，２１ｃ，２１ｄ…信号線、ＵＰＸ…単位画素、ＰＸ，ＰＸａ，ＰＸｂ，ＰＸｃ，ＰＸｄ…画素、Ｃ，Ｃ１，Ｃ２…補助容量線、ＡＡ…表示領域、Ｘ…行方向、Ｙ…列方向。
【図１】
2015141326.tif 000003
【図２】
2015141326.tif 000004
【図３】
2015141326.tif 000005
【図４】
2015141326.tif 000006
【図５】
2015141326.tif 000007
【図６】
2015141326.tif 000008
【図７】
2015141326.tif 000009
【図８】
2015141326.tif 000010
【図９】
2015141326.tif 000011
【図１０】
2015141326.tif 000012
【図１１】
2015141326.tif 000013
【図１２】
2015141326.tif 000014